(57)【要約】      （修正有）【課題】蓋をしたまま容器内の内容物を使用者が容易に飲食することのでき、且つ、漏れ防止機能を有する容器の蓋を提供する。【解決手段】厚さ方向に貫通する第１の貫通面及び第２の貫通面によって構成される貫通切り込み部５を有する天蓋部３と、容器に嵌着される保持部４とを備え、天蓋部と保持部が一体の弾性体によって形成され、天蓋部を蓋の表側から裏側に向かう方向に凸に湾曲した形状にすることにより、蓋の裏側から表側に向かう方向の圧力が第１の閾値未満であれば貫通切り込み部は閉じた状態を保ち、蓋の表側から裏側に向かう方向の圧力が第２の閾値（第１の閾値より小さい値）以上であれば貫通切り込み部は閉じた状態を維持できず、第１の貫通面と第２の貫通面との間に隙間ができるようにしていることを特徴とする容器の蓋。【選択図】図１
2008265825.tif 000002
【特許請求の範囲】
【請求項１】
厚さ方向に貫通する第１の貫通面及び第２の貫通面によって構成される貫通切り込み部を有する天蓋部と、容器に嵌着される保持部とを備え、
前記天蓋部と前記保持部が一体の弾性体によって形成され、
前記天蓋部を蓋の表側から裏側に向かう方向に凸に湾曲した形状にすることにより、蓋の裏側から表側に向かう方向の圧力が第１の閾値未満であれば前記貫通切り込み部は閉じた状態を保ち、蓋の表側から裏側に向かう方向の圧力が第２の閾値（第１の閾値より小さい値）以上であれば前記貫通切り込み部は閉じた状態を維持できず、前記第１の貫通面と前記第２の貫通面との間に隙間ができるようにしていることを特徴とする容器の蓋。
【請求項２】
前記貫通切り込み部の周辺領域の硬度（ＪＩＳ Ｋ６３０１による測定値）が５度〜６０度であり、前記貫通切り込み部の周辺領域の硬度が他の領域の硬度よりも小さいことを特徴とする請求項１に記載の容器の蓋。
【請求項３】
前記第１の貫通面及び前記第２の貫通面が蓋の表側から裏側に向かう方向に延長され、前記貫通切り込み部が蓋の裏側に突出していることを特徴とする請求項１に記載の容器の蓋。
【請求項４】
前記天蓋部の蓋の裏側に第１のリブ状突起及び第２のリブ状突起を設け、前記第１の貫通面が前記第１のリブ状突起の側面を含み、前記第２の貫通面が前記第２のリブ状突起の側面を含むことを特徴とする請求項３に記載の容器の蓋。
【発明の詳細な説明】
【技術分野】
【０００１】
本発明は、容器の蓋に関し、特に蓋をしたまま容器内の内容物を使用者が飲食することのできる容器の蓋に関する。
【背景技術】
【０００２】
コップやペットボトルなど飲料容器は、口が開いた状態で容器が転倒すると内容物である飲料がこぼれだしてしまう。特に、高齢者や手が不自由な入院患者などは手の震えなどにより内容物である飲料をこぼす可能性が高くなる。飲料がこぼれた場合、衣服等が汚れるだけでなく、内容物が熱いときには火傷のおそれもあり危険である。また、高齢者や乳幼児、あるいは手が不自由な入院患者などにとっては、コップやペットボトルなどの飲料容器を傾けて注出量をコントロールすることが難しい。
【０００３】
このため、例えばストロー形状や乳首形状等の吸い口を有し蓋をしたまま飲料容器内の内容物である飲料を使用者が飲むことのできる飲料容器用蓋が各種開発されている。このような飲料容器用蓋の中には、より安全性を高めるために、飲料容器が転倒した場合でも吸い口から飲料が漏れ出さないような漏れ防止機能を有しているものがある（例えば特許文献１参照）。
【０００４】
【特許文献１】特表２００４−５３５２３８号公報
【特許文献２】実公昭２７−１７８９号公報
【発明の開示】
【発明が解決しようとする課題】
【０００５】
しかしながら、従来の漏れ防止機能を有する飲料容器用蓋は、複数部品により構成されており、洗浄や組立に手間がかかるという不都合がある。また、従来の飲料容器用蓋は通常ねじ孔を有しており、このねじ孔が飲料容器の取り付けねじ部にねじ結合される。ねじ孔を有する従来の飲料容器用蓋と取り付けねじ部を有する飲料容器とはねじ結合可能な対である必要があるため、ねじ孔を有する従来の飲料容器用蓋は汎用性に乏しかった。さらに、ねじ結合により飲料容器用蓋と飲料容器とを固定する方法では、飲料容器に対する飲料容器用蓋の締め付けが弱いとねじ結合部から内容物である飲料が漏れだすことになる。
【０００６】
なお、簡単な構造であって比較的洗浄の容易な蓋が、例えば特許文献２に開示されている。特許文献２に開示されている蓋は、蓋をしたまま容器に対して内容液を出入りさせることができ、且つ、ゴムの弾性により自動閉塞作用をもつ切裁部が設けられている。しかしながら、特許文献２に開示されている蓋は、蓋の切裁部から容器に対して内容液を出し入れする際に、蓋の切裁部を注ぎ口として利用し、蓋を挟持した指先に力を加えて切裁部を左右に開いて切裁部を開口させる必要があるため、高齢者や乳幼児、あるいは手が不自由な入院患者などには不向きである。
【０００７】
本発明は、上記の状況に鑑み、蓋をしたまま容器内の内容物を使用者が容易に飲食することのでき、且つ、漏れ防止機能を有する容器の蓋を提供することを課題とする。
【課題を解決するための手段】
【０００８】
上記目的を達成するために、本発明に係る容器の蓋は、厚さ方向に貫通する第１の貫通面及び第２の貫通面によって構成される貫通切り込み部を有する天蓋部と、容器に嵌着される保持部とを備え、前記天蓋部と前記保持部が一体の弾性体によって形成され、前記天蓋部を蓋の表側から裏側に向かう方向に凸に湾曲した形状にすることにより、蓋の裏側から表側に向かう方向の圧力が第１の閾値未満であれば前記貫通切り込み部は閉じた状態を保ち、蓋の表側から裏側に向かう方向の圧力が第２の閾値（第１の閾値より小さい値）以上であれば前記貫通切り込み部は閉じた状態を維持できず、前記第１の貫通面と前記第２の貫通面との間に隙間ができるようにしている。
【０００９】
このような構成によると、容器が倒れ内容物によって蓋の裏側から表側に向かう方向に圧力がかかっても貫通切り込み部は閉じた状態を保つことができるので、貫通切り込み部からの内容物の漏れを防止することができ、その一方で、貫通切り込み部の周辺に唇等で少し押すだけの小さな圧力を蓋の表側から裏側に向かう方向にかけるだけで、貫通切り込み部５を開いた状態にすることができる。これにより、蓋をしたまま容器内の内容物を使用者が容易に飲食することのでき、且つ、内容物の漏れを防止することができる。また、唇等の動きで注出量をコントロールするので、コップやペットボトルなどの飲料容器を傾けて注出量をコントロールする場合に比べて注出量のコントロールが容易である。したがって、高齢者や乳幼児、あるいは手が不自由な入院患者などの利用に適している。また、内容物の漏れを防止することができるため、本発明に係る容器の蓋が取り付けられた容器は内容物を収容した状態で容易に携行することができる。
【００１０】
また、前記貫通切り込み部５が閉じた状態を保つ保持力を増加させるために、前記貫通切り込み部の周辺領域の硬度（ＪＩＳ Ｋ６３０１による測定値）を５度〜６０度とし、前記貫通切り込み部の周辺領域の硬度を他の領域の硬度よりも小さくしてもよい。
【００１１】
また、前記貫通切り込み部５が閉じた状態を保つ保持力を増加させるために、前記第１の貫通面及び前記第２の貫通面を蓋の表側から裏側に向かう方向に延長し、前記貫通切り込み部が蓋の裏側に突出するようにしてもよい。例えば、前記天蓋部の蓋の裏側に第１のリブ状突起及び第２のリブ状突起を設け、前記第１の貫通面が前記第１のリブ状突起の側面を含み、前記第２の貫通面が前記第２のリブ状突起の側面を含むようにすればよい。
【発明の効果】
【００１２】
本発明によると、蓋をしたまま容器内の内容物を使用者が容易に飲食することのでき、且つ、漏れ防止機能を有する容器の蓋を実現することができる。
【発明を実施するための最良の形態】
【００１３】
本発明の実施形態について図面を参照して以下に説明する。本発明に係る容器の蓋が取り付けられた容器の斜視図を図１に示す。
【００１４】
本発明に係る容器の蓋１は、容器２の内方側（本発明に係る容器の蓋１の表側から裏側に向かう方向）に凸に湾曲した形状の天蓋部３と、輪帯状の保持部４とを備えている。天蓋部３と保持部４とはともに弾性材料（例えばシリコンゴムや弾性を有する合成樹脂など）からなり一体形成されている。
【００１５】
天蓋部３には、Ｉ字状の貫通切り込み部５が設けられている。Ｉ字状の貫通切り込み部５は天蓋部３の厚さ方向に貫通する第１の貫通面及び第２の貫通面によって構成されている。また、保持部４の内壁は図２に示すようにストレート形状であり、ねじ孔を有していない。さらに、貫通切り込み部５の周辺領域６の硬度（ＪＩＳ Ｋ６３０１による測定値）は５度〜６０度とし、貫通切り込み部５の周辺領域６の硬度を他の領域の硬度より小さくしている。
【００１６】
上記構成の本発明に係る容器の蓋１の作用・効果について以下に説明する。
【００１７】
図１に示すように本発明に係る容器の蓋１を容器２に取り付けると、容器２の口部外壁に保持部４の内壁が接する。そして、保持部４が伸縮性のある弾性体で構成されているため、容器２の口部外壁と保持部４の内壁とが密着する。保持部４の内径が容器２の口部の外径より若干小さければ、容器２の口部に取り付けねじ部が有ろうが無かろうが、保持部４の弾性力により容器２の口部外壁と保持部４の内壁とが密着するので、容器２の口部外壁と保持部４の内壁との接触箇所から内容物が漏れださない。したがって、本発明に係る容器の蓋１は、ねじ孔を有する従来の飲料容器用蓋に比べて汎用性に富んでいる。なお、保持部４の内壁に環状のリブを設けて容器２の口部外壁と保持部４の内壁との密着量を向上させてもよい。
【００１８】
天蓋部３が容器２の内方側（本発明に係る容器の蓋１の表側から裏側に向かう方向）に凸に湾曲した形状であるので、図１に示すような通常状態においては、Ｉ字状の貫通切り込み部５の第１の貫通面と第２の貫通面とが密着するように第１の貫通面及び第２の貫通面に圧力がかかり、Ｉ字状の貫通切り込み部５は閉じた状態を保つ。
【００１９】
また、本発明に係る容器の蓋１の裏側から表側に向かう方向の圧力が第１の閾値未満であればＩ字状の貫通切り込み部５は閉じた状態を保ち、本発明に係る容器の蓋１の表側から裏側に向かう方向の圧力が第２の閾値（第１の閾値より小さい値）以上であればＩ字状の貫通切り込み部５は閉じた状態を維持できず、第１の貫通面と第２の貫通面との間に隙間ができるように、第１の貫通面及び第２の貫通面の各面積と貫通切り込み部５の周辺領域６の硬度とが設計されている。これにより、図３のように容器２が倒れ内容物によって本発明に係る容器の蓋１の裏側から表側に向かう方向に圧力がかかってもＩ字状の貫通切り込み部５は閉じた状態を保つことができるので、貫通切り込み部５からの内容物の漏れを防止することができ、その一方で、貫通切り込み部５の周辺領域６に唇等で少し押すだけの小さな圧力を本発明に係る容器の蓋１の表側から裏側に向かう方向にかけるだけで、図４に示すようにＩ字状の貫通切り込み部５を開いた状態にすることができる。これにより、蓋をしたまま容器内の内容物を使用者が容易に飲食することのでき、且つ、内容物の漏れを防止することができ、さらに、本発明に係る容器の蓋１から一旦外部に出た内容物が貫通切り込み部５を介して逆流して容器２に戻ることがないので衛生面において優れている。また、唇等の動きで注出量をコントロールするので、コップやペットボトルなどの飲料容器を傾けて注出量をコントロールする場合に比べて注出量のコントロールが容易である。また、内容物の漏れを防止することができるため、本発明に係る容器の蓋１が取り付けられた容器２は内容物を収容した状態で容易に携行することができる。
【００２０】
なお、図３に示す状態での貫通切り込み部５の長手方向にそった切断線による部分断面図は図５に示すようになり、図４に示す状態での貫通切り込み部５の長手方向にそった切断線による部分断面図は図６に示すようになる。図５及び図６中の符号７は第１の貫通面を示している。
【００２１】
第１の貫通面及び第２の貫通面の各面積の設計値を変更することにより、第１の貫通面及び第２の貫通面にかかる圧力を調整することができるので、図１に示すような通常状態において第１の貫通面及び第２の貫通面にかかる圧力、上記第１の閾値、並びに上記第２の閾値の調整が可能となる。
【００２２】
容器２の内圧が大気圧と等しいときは、Ｉ字状の貫通切り込み部５の第１の貫通面と第２の貫通面とが密着するように第１の貫通面及び第２の貫通面に圧力がかかるため、Ｉ字状の貫通切り込み部５は閉じた状態を保つ。一方、容器２の内圧が大気圧よりも高くなって、本発明に係る容器の蓋１の裏側から表側に向かう方向の圧力が上記第１の閾値以上になった場合、Ｉ字状の貫通切り込み部５が開いた状態になり、容器２の内圧が大気圧よりも低くなって、本発明に係る容器の蓋１の表側から裏側に向かう方向の圧力が上記第２の閾値以上になった場合、Ｉ字状の貫通切り込み部５が開いた状態になる。したがって、本発明に係る容器の蓋１が取り付けられた容器２の内容物を電子レンジ等により加熱した場合、容器２の内圧が大気圧よりも高くなって、本発明に係る容器の蓋１の裏側から表側に向かう方向の圧力が上記第１の閾値以上になると、貫通切り込み部５が開いた状態になり、貫通斬り込み部５を通じて容器２内の過剰の圧力を逃すことができるので安全に加熱を行うことができる。
【００２３】
また、貫通切り込み部５の周辺領域６の硬度を他の領域の硬度より小さくすることに代えて又は加えて、第１の貫通面及び第２の貫通面を蓋の表側から裏側に向かう方向に延長し、貫通切り込み部５が蓋の裏側に突出するようにして、貫通切り込み部５が閉じた状態を保つ保持力を増加させてもよい。
【００２４】
貫通切り込み部５の周辺領域６の硬度を他の領域の硬度より小さくすることに代えて、第１の貫通面及び第２の貫通面を蓋の表側から裏側に向かう方向に延長し、貫通切り込み部５が蓋の裏側に突出するように天蓋部３の蓋の裏側に第１のリブ状突起及び第２のリブ状突起を設け、第１の貫通面が第１のリブ状突起の側面を含み、第２の貫通面が前記第２のリブ状突起の側面を含む構成にした場合、Ｉ字状の貫通切り込み部５を開いた状態での斜視図は図７のようになり、貫通切り込み部５の長手方向に垂直な切断線による本発明に係る容器の蓋１の断面斜視図は図８及び図９のようになる。図８はＩ字状の貫通切り込み部５が閉じた状態を示しており、図９はＩ字状の貫通切り込み部５が開いた状態を示している。図９中の符号８は第２の貫通面を示し、図８及び図９中の符号９は第１のリブ状突起を示し、図８及び図９中の符号１０は第２のリブ状突起を示している。
【００２５】
なお、本発明は上述した実施形態に限定されるものではなく、請求項に示した範囲で種々の変更が可能である。すなわち、請求項に示した範囲で適宜変更した技術的手段を組み合わせて得られる実施形態についても、本発明の技術的範囲に含まれる。例えば、容器は飲料容器に限定されず、例えばゼリー状食品を収納する容器などであってもよい。また、貫通切り込み部５はＩ字状に限定されず、例えば緩やかなＳ字状などであってもよい。また、本発明に係る容器の蓋が取り付けられる容器はコップに限定されず、例えば図１０に示すように本発明に係る容器の蓋がペットボトルの口に取り付けられてもよい。
【図面の簡単な説明】
【００２６】
【図１】は、本発明に係る容器の蓋が取り付けられた容器の斜視図である。
【図２】は、本発明に係る容器の蓋を裏側から見た斜視図である。
【図３】は、本発明に係る容器の蓋が取り付けられた容器が倒れた状態を示す図である。
【図４】は、本発明に係る容器の蓋の貫通切り込み部が開いた状態を示す図である。
【図５】は、図３に示す状態での貫通切り込み部の長手方向にそった切断線による部分断面図である。
【図６】は、図４に示す状態での貫通切り込み部の長手方向にそった切断線による部分断面図である。
【図７】は、貫通切り込み部での蓋の厚みを増した場合の貫通切り込み部が開いた状態での本発明に係る容器の蓋が取り付けられた容器の斜視図である。
【図８】は、貫通切り込み部での蓋の厚みを増した場合の貫通切り込み部が閉じた状態での本発明に係る容器の蓋の断面斜視図である。
【図９】は、貫通切り込み部での蓋の厚みを増した場合の貫通切り込み部が開いた状態での本発明に係る容器の蓋の断面斜視図である。
【図１０】は、本発明に係る容器の蓋がペットボトルの口に取り付けられた様子を示す図である。
【符号の説明】
【００２７】
１    本発明に係る容器の蓋
２    容器
３    天蓋部
４    保持部
５    貫通切り込み部
６    貫通切り込み部の周辺領域
７    第１の貫通面
８    第２の貫通面
９    第１のリブ状突起
１０    第２のリブ状突起
【図１】
2008265825.tif 000003
【図２】
2008265825.tif 000004
【図３】
2008265825.tif 000005
【図４】
2008265825.tif 000006
【図５】
2008265825.tif 000007
【図６】
2008265825.tif 000008
【図７】
2008265825.tif 000009
【図８】
2008265825.tif 000010
【図９】
2008265825.tif 000011
【図１０】
2008265825.tif 000012
【手続補正書】
【提出日】平成19年7月4日(2007.7.4)
【手続補正１】
【補正対象書類名】特許請求の範囲
【補正対象項目名】全文
【補正方法】変更
【補正の内容】
【特許請求の範囲】
【請求項１】
厚さ方向に貫通する第１の貫通面及び第２の貫通面によって構成される貫通切り込み部を有する天蓋部と、容器に嵌着される保持部とを備え、
前記天蓋部と前記保持部が一体の弾性体によって形成され、
前記天蓋部が蓋の表側から裏側に向かう方向に凸に湾曲した形状であり、
蓋の裏側から表側に向かう方向の圧力が第１の閾値未満であれば前記貫通切り込み部は閉じた状態を保ち、蓋の表側から裏側に向かう方向の圧力が第２の閾値（第１の閾値より小さい値）以上であれば前記貫通切り込み部は閉じた状態を維持できず、前記天蓋部が蓋の表側から裏側に向かう方向に凸に湾曲した形状を保ったままで前記第１の貫通面と前記第２の貫通面との間に隙間ができるようにしていることを特徴とする容器の蓋。
【請求項２】
前記貫通切り込み部の周辺領域の硬度（ＪＩＳ Ｋ６３０１（１９９８年に廃止、廃止後はＪＩＳ Ｋ６２５３）による測定値）が５度〜６０度であり、前記貫通切り込み部の周辺領域の硬度が他の領域の硬度よりも小さいことを特徴とする請求項１に記載の容器の蓋。
【請求項３】
前記第１の貫通面及び前記第２の貫通面が蓋の表側から裏側に向かう方向に延長され、前記貫通切り込み部が蓋の裏側に突出していることを特徴とする請求項１に記載の容器の蓋。
【請求項４】
前記天蓋部の蓋の裏側に第１のリブ状突起及び第２のリブ状突起を設け、前記第１の貫通面が前記第１のリブ状突起の側面を含み、前記第２の貫通面が前記第２のリブ状突起の側面を含むことを特徴とする請求項３に記載の容器の蓋。
【手続補正２】
【補正対象書類名】明細書
【補正対象項目名】０００８
【補正方法】変更
【補正の内容】
【０００８】
上記目的を達成するために、本発明に係る容器の蓋は、厚さ方向に貫通する第１の貫通面及び第２の貫通面によって構成される貫通切り込み部を有する天蓋部と、容器に嵌着される保持部とを備え、前記天蓋部と前記保持部が一体の弾性体によって形成され、前記天蓋部が蓋の表側から裏側に向かう方向に凸に湾曲した形状であり、蓋の裏側から表側に向かう方向の圧力が第１の閾値未満であれば前記貫通切り込み部は閉じた状態を保ち、蓋の表側から裏側に向かう方向の圧力が第２の閾値（第１の閾値より小さい値）以上であれば前記貫通切り込み部は閉じた状態を維持できず、前記天蓋部が蓋の表側から裏側に向かう方向に凸に湾曲した形状を保ったままで前記第１の貫通面と前記第２の貫通面との間に隙間ができるようにしている。
【手続補正３】
【補正対象書類名】明細書
【補正対象項目名】０００９
【補正方法】変更
【補正の内容】
【０００９】
このような構成によると、容器が倒れ内容物によって蓋の裏側から表側に向かう方向に圧力がかかっても貫通切り込み部は閉じた状態を保つことができるので、貫通切り込み部からの内容物の漏れを防止することができ、その一方で、貫通切り込み部の周辺に唇等で少し押すだけの小さな圧力を蓋の表側から裏側に向かう方向にかけるだけで、天蓋部が蓋の表側から裏側に向かう方向に凸に湾曲した形状を保ったままで貫通切り込み部を開いた状態にすることができる。これにより、蓋をしたまま容器内の内容物を使用者が容易に飲食することのでき、且つ、内容物の漏れを防止することができる。また、唇等の動きで注出量をコントロールするので、コップやペットボトルなどの飲料容器を傾けて注出量をコントロールする場合に比べて注出量のコントロールが容易である。したがって、高齢者や乳幼児、あるいは手が不自由な入院患者などの利用に適している。また、内容物の漏れを防止することができるため、本発明に係る容器の蓋が取り付けられた容器は内容物を収容した状態で容易に携行することができる。
【手続補正４】
【補正対象書類名】明細書
【補正対象項目名】００１０
【補正方法】変更
【補正の内容】
【００１０】
また、前記貫通切り込み部が閉じた状態を保つ保持力を増加させるために、前記貫通切り込み部の周辺領域の硬度（ＪＩＳ Ｋ６３０１（１９９８年に廃止、廃止後はＪＩＳ Ｋ６２５３）による測定値）を５度〜６０度とし、前記貫通切り込み部の周辺領域の硬度を他の領域の硬度よりも小さくしてもよい。
【手続補正５】
【補正対象書類名】明細書
【補正対象項目名】００１１
【補正方法】変更
【補正の内容】
【００１１】
また、前記貫通切り込み部が閉じた状態を保つ保持力を増加させるために、前記第１の貫通面及び前記第２の貫通面を蓋の表側から裏側に向かう方向に延長し、前記貫通切り込み部が蓋の裏側に突出するようにしてもよい。例えば、前記天蓋部の蓋の裏側に第１のリブ状突起及び第２のリブ状突起を設け、前記第１の貫通面が前記第１のリブ状突起の側面を含み、前記第２の貫通面が前記第２のリブ状突起の側面を含むようにすればよい。
【手続補正６】
【補正対象書類名】明細書
【補正対象項目名】００１５
【補正方法】変更
【補正の内容】
【００１５】
天蓋部３には、Ｉ字状の貫通切り込み部５が設けられている。Ｉ字状の貫通切り込み部５は天蓋部３の厚さ方向に貫通する第１の貫通面及び第２の貫通面によって構成されている。また、保持部４の内壁は図２に示すようにストレート形状であり、ねじ孔を有していない。さらに、貫通切り込み部５の周辺領域６の硬度（ＪＩＳ Ｋ６３０１（１９９８年に廃止、廃止後はＪＩＳ Ｋ６２５３）による測定値）は５度〜６０度とし、貫通切り込み部５の周辺領域６の硬度を他の領域の硬度より小さくしている。
【手続補正書】
【提出日】平成19年10月5日(2007.10.5)
【手続補正１】
【補正対象書類名】特許請求の範囲
【補正対象項目名】全文
【補正方法】変更
【補正の内容】
【特許請求の範囲】
【請求項１】
飲食料を収納する容器の蓋であって、
厚さ方向に貫通する第１の貫通面及び第２の貫通面によって構成される貫通切り込み部を有する天蓋部と、前記容器に嵌着される保持部とを備え、
前記天蓋部と前記保持部が一体の弾性体によって形成され、
前記天蓋部が前記蓋の表側から裏側に向かう方向に凸に湾曲した形状であり、
前記蓋を前記貫通切り込み部の長手方向で切断した断面において、前記天蓋部の一端が前記天蓋部の他端よりも前記蓋の裏側から表側に向かう方向に高く、前記一端側に前記貫通切り込み部があり、
前記蓋の裏側から表側に向かう方向の圧力が第１の閾値未満であれば前記貫通切り込み部は閉じた状態を保ち、前記蓋の表側から裏側に向かう方向の圧力が第２の閾値（第１の閾値より小さい値）以上であれば前記貫通切り込み部は閉じた状態を維持できず、使用者が前記貫通切り込み部の周辺に唇等で前記蓋の表側から裏側に向かう方向に第２の閾値以上の圧力をかけることにより、前記天蓋部が前記蓋の表側から裏側に向かう方向に凸に湾曲した形状を保ったままで前記貫通切り込み部が開いた状態になり、前記貫通切り込み部から前記容器の外部への前記飲食料の注出が可能となることを特徴とする容器の蓋。
【請求項２】
前記貫通切り込み部の周辺領域の硬度が他の領域の硬度よりも小さいことを特徴とする請求項１に記載の容器の蓋。
【請求項３】
前記第１の貫通面及び前記第２の貫通面が蓋の表側から裏側に向かう方向に延長され、前記貫通切り込み部が蓋の裏側に突出していることを特徴とする請求項１に記載の容器の蓋。
【請求項４】
前記天蓋部の蓋の裏側に第１のリブ状突起及び第２のリブ状突起を設け、前記第１の貫通面が前記第１のリブ状突起の側面を含み、前記第２の貫通面が前記第２のリブ状突起の側面を含むことを特徴とする請求項３に記載の容器の蓋。
【手続補正２】
【補正対象書類名】明細書
【補正対象項目名】０００８
【補正方法】変更
【補正の内容】
【０００８】
上記目的を達成するために、本発明に係る容器の蓋は、飲食料を収納する容器の蓋であって、厚さ方向に貫通する第１の貫通面及び第２の貫通面によって構成される貫通切り込み部を有する天蓋部と、前記容器に嵌着される保持部とを備え、前記天蓋部と前記保持部が一体の弾性体によって形成され、前記天蓋部が前記蓋の表側から裏側に向かう方向に凸に湾曲した形状であり、前記蓋を前記貫通切り込み部の長手方向で切断した断面において、前記天蓋部の一端が前記天蓋部の他端よりも前記蓋の裏側から表側に向かう方向に高く、前記一端側に前記貫通切り込み部があり、前記蓋の裏側から表側に向かう方向の圧力が第１の閾値未満であれば前記貫通切り込み部は閉じた状態を保ち、前記蓋の表側から裏側に向かう方向の圧力が第２の閾値（第１の閾値より小さい値）以上であれば前記貫通切り込み部は閉じた状態を維持できず、使用者が前記貫通切り込み部の周辺に唇等で前記蓋の表側から裏側に向かう方向に第２の閾値以上の圧力をかけることにより、前記天蓋部が前記蓋の表側から裏側に向かう方向に凸に湾曲した形状を保ったままで前記貫通切り込み部が開いた状態になり、前記貫通切り込み部から前記容器の外部への前記飲食料の注出が可能となるようにしている。
【手続補正３】
【補正対象書類名】明細書
【補正対象項目名】００１０
【補正方法】変更
【補正の内容】
【００１０】
また、前記貫通切り込み部が閉じた状態を保つ保持力を増加させるために、前記貫通切り込み部の周辺領域の硬度を他の領域の硬度よりも小さくしてもよい。